(57)【特許請求の範囲】
【請求項１】
電動車両に搭載された車載充電器に単相交流を供給することで前記電動車両が備えるバッテリーを充電させる複数の普通充電器と通信し、前記複数の普通充電器による充電動作を制御する充電制御装置であって、
前記バッテリーの残存容量を示す残存容量情報、前記バッテリーにおける総容量を示す総容量情報、前記普通充電器から前記車載充電器に供給される前記単相交流の電流値を示す充電電流値情報を、記録媒体から読み出す情報読出し部によって構成され、前記残存容量情報、前記総容量情報、前記充電電流値情報を、前記普通充電器毎に取得する情報取得部を有し、
前記記録媒体は、前記電動車両が備える情報書き出し部によって、当該電動車両のイグニッションオフ時の前記残存容量情報が記録されており、
前記残存容量と前記総容量を加味して選択された希望充電量と、前記単相交流の電流値とに基づき、単位充電量の充電に必要な単位充電時間、及び、予想充電完了時間を取得し、前記単位充電量を充電する単位充電動作を、前記複数の普通充電器に対して繰り返し行わせることで、契約電力値を超えないように制御することを特徴とする充電制御装置。
【発明の詳細な説明】
【技術分野】
【０００１】
本発明は、複数台の普通充電器の充電動作を集中制御する充電制御装置に関する。
【背景技術】
【０００２】
近年、電気自動車やハイブリッド自動車といった電動車両が普及しつつあるが、電動車両の本格的な普及には充電設備の充実が不可欠である。そして、駐車場や店舗の駐車スペースに普通充電器等を設置することで、充電設備の充実が図れると考えられる。
【０００３】
複数台の電動車両を充電するため、特許文献１の装置では、充電対象コンセントを切り換えることで、１台の充電装置による複数台の電気自動車への充電を実現している。また、特許文献２の装置では、新たに充電対象の車両が接続されたとき、優先順位の高い車両に接続を切り換えて充電することにより、ユーザーの利便性を向上させている。
【先行技術文献】
【特許文献】
【０００４】
【特許文献１】特開２０１１−１３５６６０号公報
【特許文献２】特開２０１１−３６０９６号公報
【発明の概要】
【発明が解決しようとする課題】
【０００５】
複数台の電気自動車を普通充電器で充電する場合、契約電力値を超えないように複数台の充電器の合計電力値を調整する必要があるが、合計電力値を調整するためには、車載充電器の充電定格電流値の情報が必要になる。また、充電条件を定めるためには、バッテリーの残存容量の情報も必要になる。この点、前述の装置はいずれも、充電定格電流値や残存容量の情報については考慮されていなかった。
【０００６】
このため、既存の駐車場や店舗の駐車スペースに複数の普通充電器を設置した場合、契約電力値の最大値で制御することが難しいという問題点があった。すなわち、状況によっては契約電力値を超えてしまう可能性があった。なお、充電定格電流値や残存容量の情報をユーザーによって入力してもらうことも考えられるが、利便性が損なわれるという問題点があった。
【０００７】
本発明は、このような事情に鑑みてなされたものであり、その目的は、複数台の電動車両を普通充電器で充電するに際し、ユーザーに対する利便性を向上させることにある。
【課題を解決するための手段】
【０００８】
前述の目的を達成するため、本発明は、電動車両に搭載された車載充電器に単相交流を供給することで前記電動車両が備えるバッテリーを充電させる複数の普通充電器と通信し、前記複数の普通充電器による充電動作を制御する充電制御装置であって、前記バッテリーの残存容量を示す残存容量情報、前記バッテリーにおける総容量を示す総容量情報、前記普通充電器から前記車載充電器に供給される前記単相交流の電流値を示す充電電流値情報を、記録媒体から読み出す情報読出し部によって構成され、前記残存容量情報、前記総容量情報、前記充電電流値情報を、前記普通充電器毎に取得する情報取得部を有し、前記記録媒体は、前記電動車両が備える情報書き出し部によって、当該電動車両のイグニッションオフ時の前記残存容量情報が記録されており、前記残存容量と前記総容量を加味して選択された希望充電量と、前記単相交流の電流値とに基づき、単位充電量の充電に必要な単位充電時間、及び、予想充電完了時間を取得し、前記単位充電量を充電する単位充電動作を、前記複数の普通充電器に対して繰り返し行わせることで、契約電力値を超えないように制御することを特徴とする。
【０００９】
本発明の充電制御装置によれば、充電制御装置に情報取得部を設け、可搬性の記録媒体を介して残存容量情報を取得している。そして、記録媒体には、電動車両が備える情報書き出し部によって当該電動車両のイグニッションオフ時の残存容量情報が記録される。このため、残存容量情報を電動車両から充電制御装置へ容易に転送できるとともに情報入力の手間を省力化できる。その結果、契約電力値の最大値を超えないよう制御するに際して、ユーザーに対する利便性を向上させることができる。
【００１３】
前述の充電制御装置において、前記情報取得部が、前記バッテリーにおける総容量を示す総容量情報、前記普通充電器から前記車載充電器に供給される前記単相交流の電流値を示す充電電流値情報を、前記残存容量情報と共に取得するように構成されている場合には、複数台の普通充電器を用いた充電制御を行う際に、総容量情報や充電電流値情報の入力も簡略化できるので、利便性の一層の向上が図れる。
【発明の効果】
【００１４】
本発明によれば、複数台の電動車両を普通充電器で充電するに際し、ユーザーに対する利便性を向上させることができる。
【図面の簡単な説明】
【００１５】
【図１】充電システムの概略を説明する図である。
【図２】充電システムの機能ブロック図である。
【図３】（ａ）は管理側制御部の構成を説明するブロック図、（ｂ）は管理側制御部のメモリーを説明する概念図である。
【図４】入力表示器の表示例を説明する図であり、（ａ）は普通充電器の選択画面を、（ｂ）は希望充電量の選択画面を、（ｃ）は希望充電完了時間の選択画面を、（ｄ）は充電完了予定時間の表示画面を、それぞれ示す。
【図５】（ａ）は充電側制御部の構成を説明するブロック図、（ｂ）は充電側制御部のメモリーを説明する概念図である。
【図６】電気自動車の構成を説明するブロック図である。
【図７】（ａ）は車両側制御部の構成を説明するブロック図、（ｂ）は車両側制御部のメモリーを説明する概念図である。
【図８】充電システムのメインフローチャートである。
【図９】充電制御決定処理を説明するフローチャートである。
【図１０】（ａ）〜（ｄ）はそれぞれ、充電制御決定処理で決定される充電制御パターンの具体例を時系列で説明する図である。
【図１１】（ａ）〜（ｄ）はそれぞれ、充電制御決定処理で決定される充電制御パターンの具体例を時系列で説明する図である。
【図１２】（ａ）〜（ｄ）はそれぞれ、充電制御決定処理で決定される充電制御パターンの具体例を時系列で説明する図である。
【図１３】（ａ）〜（ｄ）はそれぞれ、充電制御決定処理で決定される充電制御パターンの具体例を時系列で説明する図である。
【図１４】充電システムにおける他の実施形態を説明する機能ブロック図である。
【発明を実施するための形態】
【００１６】
以下、本発明の実施の形態について説明する。本実施形態の充電システムは、電気自動車に搭載された二次電池を充電するためのものであり、例えば、電気自動車用の充電スタンドやコンビニエンスストアに設置される。
【００１７】
図１に示すように、この充電システムは、集中管理装置１０と、複数台の普通充電器２０と、普通充電器２０以外の負荷（その他負荷３０）とを有している。
【００１８】
集中管理装置１０は、この充電システムにおける制御を担当する装置であり、充電制御装置に相当する。この集中管理装置１０は、各普通充電器２０と通信をして、各普通充電器２０による充電動作を制御する。なお、集中管理装置１０については後で説明する。
【００１９】
普通充電器２０は、電気自動車４０に搭載された車載充電器４３（図６を参照）を通じて駆動用バッテリー４４を充電する装置であり、１つのシステムに複数台が設置され、増設も可能である。このシステムでは、１台の普通充電器２０が１台のバッテリーを充電する。便宜上、３台の普通充電器２０を図示しているが、台数は３台に限られるものではない。なお、普通充電器２０についても後で説明する。
【００２０】
その他負荷３０は、普通充電器２０を除いた各種の機器が該当する。例えば、エアコンや照明がこの負荷に該当する。また、コンビニエンスストアであれば、冷蔵庫や冷凍庫といった設備もこの負荷に該当する。本実施形態において、集中管理装置１０は、屋内配線に設けた電力センサー５１からの検出信号を取得し、この検出信号のレベルに基づいて各負荷に供給される電力量を認識する。また、集中管理装置１０は、引き込み線に設けた電力センサー５２からの検出信号を取得し、この検出信号のレベルに基づいて商用系統５０から供給される電力量を認識する。
【００２１】
この充電システムでは、集中管理装置１０が普通充電器２０と通信し、車載充電器４３に供給される単相交流の供給時間を設定する。そして、電気自動車４０では、車載充電器４３に供給された単相交流を高圧の直流に変換し、駆動用バッテリー４４を充電する。このため、図２に示すように、集中管理装置１０は管理側制御部１１を、普通充電器２０は充電側制御部２１を、電気自動車４０は車両側制御部４１をそれぞれ有しており、管理側制御部１１と充電側制御部２１とが通信可能な状態で接続され、車載充電器４３と駆動用バッテリー４４のそれぞれは車両側制御部４１によって制御可能な状態で接続されている。なお、図２の太線は電源の供給線を示し、細線はデータや信号の通信線を示している。
【００２２】
また、この充電システムでは、情報記憶カードＣＲＤを介して、駆動用バッテリー４４の総容量（総充電容量）、残存容量（残存充電容量）、及び、普通充電器２０を通じて車載充電器４３に供給する単相交流の充電電流値（個別電流値）を、電気自動車４０から集中管理装置１０へ転送している。このため、集中管理装置１０は管理側カードリーダ１７を、電気自動車４０は車両側カードライタ４９をそれぞれ有している。そして、電気自動車４０のイグニッションオフ時に、車両側制御部４１は、車両側カードライタ４９を介して情報記憶カードＣＲＤへ必要な情報を書き込む。また、管理側制御部１１は、管理側カードリーダ１７にセットされた情報記憶カードＣＲＤから必要な情報を取得する。
【００２３】
この充電システムでは、１台の普通充電器２０が１台の電気自動車４０（駆動用バッテリー４４）の充電を担当する。すなわち、普通充電器２０と、電気自動車４０、車載充電器４３、及び、駆動用バッテリー４４の組は１対１に対応する。ここで、管理側カードリーダ１７は、情報記憶カードＣＲＤを通じて或る駆動用バッテリー４４の残存容量を示す情報（残存容量情報）、駆動用バッテリー４４の総充電容量を示す情報（総充電容量情報）、車載充電器４３へ供給する一次側の電流値の情報（充電電流値情報）を取得する。また、情報記憶カードＣＲＤは、電気自動車４０が備える車両側カードライタ４９（情報書き出し部）によって残存容量情報などが書き出された記録媒体に相当する。従って、管理側カードリーダ１７は、情報記憶カードＣＲＤから残存容量情報を読み出す情報読出し部に相当する。
【００２４】
次に、集中管理装置１０について説明する。図２に示すように、集中管理装置１０は、管理側制御部１１と入力表示器１２と管理側カードリーダ１７とを有している。管理側制御部１１は、集中管理装置１０における制御の中心となる部分であり、図３（ａ）に示すように、ＣＰＵ１３及びメモリー１４を有する制御部本体１５と、通信用インタフェース１６とを有している。
【００２５】
制御部本体１５では、ＣＰＵ１３がメモリー１４に記憶されたプログラムを実行することで、各種の制御動作が実現される。例えば、各普通充電器２０から電気自動車４０（車載充電器４３）への単相交流の供給制御が実現される。通信用インタフェース１６は、集中管理装置１０における通信を制御する。すなわち、各普通充電器２０との間でなされる通信を制御する。
【００２６】
管理側カードリーダ１７は、情報記憶カードＣＲＤに対する情報の読み取りを行う部分であり、情報記憶カードＣＲＤの種類に適合した形式の装置が用いられる。例えば、情報記憶カードＣＲＤが磁気カードである場合には磁気カードリーダが用いられる。また、情報記憶カードＣＲＤが非接触ＩＣカードである場合には、非接触ＩＣカード用のリーダが用いられる。
【００２７】
メモリー１４の一部領域は、図３（ｂ）に示すように、プログラム記憶領域、識別情報記憶領域、契約電力値記憶領域、時間帯別上限電流値記憶領域、設定間隔記憶領域、ＡＣ／ＤＣ変換効率記憶領域、総容量記憶領域、充電電圧値記憶領域、充電電流値記憶領域、残存容量記憶領域、希望充電量記憶領域、希望完了時間記憶領域、充電緊急度記憶領域、優先順位記憶領域、単位充電時間記憶領域、切換時点記憶領域、単位充電回数カウンタ、制御パターン記憶領域として用いられている。
【００２８】
プログラム記憶領域には、ＣＰＵ１３によって読み出されて実行されるプログラムが記憶されている。
【００２９】
識別情報記憶領域には、集中管理装置１０と通信可能な電気機器について、その電気機器を示す識別情報が記憶されている。本実施形態では、各普通充電器２０について、それぞれの普通充電器２０を示す固有の識別情報が記憶されている。従って、集中管理装置１０は、受信した情報に含まれる識別情報を、識別情報記憶領域に記憶された識別情報と照合することで、受信した情報が何れの普通充電器２０から送信されたものかを認識できる。前述したように、普通充電器２０と、電気自動車４０、車載充電器４３、及び、駆動用バッテリー４４の組は１対１に対応している。このため、識別情報は、普通充電器２０に接続された、電気自動車４０、車載充電器４３、及び、駆動用バッテリー４４の識別情報としても機能する。
【００３０】
契約電力値記憶領域には、充電システムを所有する需要家との契約内容に応じた契約電力値が記憶される。集中管理装置１０は、この最大電力値を超えないように各普通充電器２０の制御を行う。
【００３１】
時間帯別上限電流値記憶領域には、各普通充電器２０で充電に使用できる電流値（一次側である商用系統５０の電流値）の合計上限値が時間帯毎に記憶される。ここで、電流値の合計上限値は、契約電力量からその他負荷３０で消費される電力量（実績に基づく予測値）を減算し、商用系統５０の電圧で除することで算出できる。また、時間帯とは、制御の単位となる時間を意味し、システムの管理者によって任意の時間幅に定めることができる。例えば、正時毎の１時間や３０分間隔に定めることができる。そして、この時間帯の情報は、設定間隔として設定間隔記憶領域に記憶される。
【００３２】
ＡＣ／ＤＣ変換効率記憶領域には、単相交流（ＡＣ）から直流（ＤＣ）に変換する際における車載充電器４３毎の変換効率が記憶されている。集中管理装置１０は、この変換効率の情報を、充電完了時間の予想値を取得する際に使用する。この変換効率に関し、単相交流（ＡＣ）から直流（ＤＣ）に変換する際における車両充電器４３の標準的な値が記憶されている。
【００３３】
総容量記憶領域及び充電電流値記憶領域はいずれも、駆動用バッテリー４４の充電に関する情報を、充電を行う普通充電器２０に対応付けて記憶する部分である。すなわち、後述する必要情報取り込み処理（Ｓ２，図８）で、情報記憶カードＣＲＤから読み出された情報（総充電容量，充電電流値）がこれらの領域に記憶される。具体的には、総容量記憶領域には総充電容量が記憶され、充電電流値記憶領域には車載充電器４３へ供給する充電電流値（一次側の電流値）が記憶される。また、充電電圧値記憶領域には、商用系統５０における単相交流の電圧値（一次側の電圧値）が記憶される。この充電電圧値は、車載充電器４３によらない値として、各普通充電器２０にて共通に用いられる。
【００３４】
残存容量記憶領域には、充電対象の電気自動車４０が有する駆動用バッテリー４４について、残存する充電容量（残存容量）が記憶される。この情報もまた、必要情報取得処理（Ｓ２）で、情報記憶カードＣＲＤから読み出されて記憶される。そして、駆動用バッテリー４４に対する充電条件を定める際にＣＰＵ１３によって参照される。
【００３５】
希望充電量記憶領域、及び、希望完了時間記憶領域は、電気自動車４０のユーザーからの充電に関する要求を、充電を行う普通充電器２０に対応付けて記憶する部分である。すなわち、希望充電量記憶領域には、ユーザーが希望する充電量の情報（例えば全体容量の○○％以上）が、希望完了時間記憶領域には、ユーザーが希望する充電完了時間の情報（例えば△時間以内）が、それぞれ充電を行う普通充電器２０の識別情報とともに記憶される。これらの情報もまた、ユーザーによる入力表示器１２への操作によって取得され、駆動用バッテリー４４に対する充電条件を定める際にＣＰＵ１３によって参照される。
【００３６】
充電緊急度記憶領域は、充電の優先度を定めるための指標である充電緊急度を記憶する部分である。この充電緊急度は、予想された充電完了時間（予想完了時間）とユーザーが希望する希望完了時間との比率に基づいて定められる。例えば、予想完了時間を希望完了時間で除して得られた比率が大きいほど（希望完了時間よりも長時間を要するものほど）充電緊急度が高いとしている。この充電緊急度もまた、充電を行う普通充電器２０の識別情報とともに記憶される。
【００３７】
優先順位記憶領域は、充電動作を行う普通充電器２０についての優先順位を記憶する部分である。本実施形態では、充電緊急度の高い普通充電器２０ほど高い優先順位を付している。この優先順位の情報もまた、充電を行う普通充電器２０の識別情報とともに記憶される。
【００３８】
単位充電時間記憶領域は、単位充電動作における１回分（巡回充電動作における１サイクル分）に相当する単位充電時間を記憶する部分である。この充電システムでは、ユーザー間の平等の観点から、１回の単位充電動作で充電される電力量を等しくしている。この電力量を等しくしたことから、１回の単位充電動作に要する時間は、車載充電器４３へ供給する充電電流値に応じて定まることになる。そこで、この単位充電時間記憶領域には、単位充電動作における１回分の充電時間を単位充電時間とし、充電を行う普通充電器２０の識別情報とともに記憶させている。
【００３９】
切換時点記憶領域は、充電制御パターンにおける制御の切換時点（後述する断面）が記憶されている。この切換時点としては、普通充電器２０毎の充電開始時点、充電終了時点がある。また、合計上限値を規定する時間帯同士の境界も切換時点に該当する。単位充電回数カウンタには、単位充電の実行回数が充電を行う普通充電器２０の識別情報とともに記憶される。なお、単位充電回数カウンタは、充電制御パターンを決定する処理において用いられる。
【００４０】
制御パターン記憶領域には、充電制御決定処理で決定された充電制御パターンが記憶される。この充電制御パターンは、制御の切換時点（断面）、動作対象の普通充電器、及び、動作時間が組になったものである。充電処理を行う際、管理側制御部１１は、制御パターン記憶領域に記憶された充電制御パターンを読み出して、動作対象の普通充電器２０に対して必要な情報を送信する。
【００４１】
次に、入力表示器１２について説明する。入力表示器１２は、集中管理装置１０におけるユーザーインタフェースを提供する部分であり、図２に示すように、ユーザーの指示を入力するための入力部１２ａと、各種の表示を行う表示部１２ｂとを有している。本実施形態の入力表示器１２は、タッチパネル式の液晶表示装置によって構成されている。この装置では、タッチパネルが入力部１２ａに相当し、液晶表示部が表示部１２ｂに相当する。なお、入力表示器１２に関し、他の種類の装置を用いてもよい。
【００４２】
この入力表示器１２は、電気自動車４０のユーザーによる普通充電器２０の選択、必要充電量の入力、及び、希望充電完了時間の入力などを行う際に利用される。普通充電器２０の選択に際しては、例えば図４（ａ）に示すように、使用する普通充電器２０の番号やＯＫの文字がボタン画像で表示される。希望充電量の入力に際しては、例えば図４（ｂ）に示すように、駆動用バッテリー４４に対する充電量（全体充電容量に対する比率）などがボタン画像で表示される。希望充電完了時間の入力に際しては、例えば図４（ｃ）に示すように、希望充電完了時間などがボタン画像で表示される。また、図４（ｄ）に示すように、入力表示器１２では、充電完了の予定時刻も表示される。
【００４３】
表示画像の内容は管理側制御部１１によって定められる。本実施形態では、選択可能な項目と選択不可の項目とで表示態様を異ならせている。例えば、選択可能な項目についてはランプが点灯している感じのボタン画像を表示し、選択不可の項目についてはランプが消灯している感じのボタン画像を表示している。
【００４４】
図４（ａ）の表示例では、選択可能な充電器Ａ及び充電器Ｂについて点灯状態のボタン画像で表示され、選択済みの充電器Ｃについて消灯状態のボタン画像で表示されている。これにより、充電器Ｃは対象外であることをユーザーに対して視覚で通知できる。また、図４（ｂ）は、駆動用バッテリー４４の残存充電容量が５０％程度の場合を示している。この場合、希望充電量２０％以上及び４０％以上のボタン画像は、残存充電容量の方が多いことから選択不可の態様で表示される。一方、希望充電量６０％以上及び８０％以上のボタン画像は、残存充電容量よりも多いことから選択可能な態様で表示される。また、図４（ｃ）でも、３水準のボタン画像が選択可能な態様で表示され、２水準のボタン画像が選択可能な態様で表示されている。
【００４５】
そして、選択可能なボタン画像がユーザーによってタッチされると、タッチ操作が入力部１２ａ（タッチパネル）で検知される。そして、検知情報（例えばタッチ位置の座標）が管理側制御部１１へ出力される。管理側制御部１１では、検知情報に基づいてユーザーの選択内容を認識する。図４（ａ）の表示例において、充電器Ａのボタン画像がタッチされ、かつ、ＯＫのボタン画像がタッチされた場合に、充電器Ａのボタン画像について座標情報が入力表示器１２から管理側制御部１１に送信される。管理側制御部１１では、受信した座標情報に基づいて充電器Ａが選択されたことを認識する。
【００４６】
次に、普通充電器２０について説明する。普通充電器２０は、駆動用バッテリー４４に付設された車載充電器４３に単相交流を供給することで駆動用バッテリー４４を充電させる装置であり、例えば図２に示すように、充電側制御部２１、及び、開閉器２２を有している。
【００４７】
充電側制御部２１は、普通充電器２０における制御の中心となる部分であり、図５（ａ）に示すように、ＣＰＵ２３及びメモリー２４を有する制御部本体２５と、通信用インタフェース２６とを有している。これらの制御部本体２５及び通信用インタフェース２６は、管理側制御部１１で説明したものと同様に構成されている。
【００４８】
開閉器２２は、単相交流の供給制御を行う部分である。この開閉器２２は充電側制御部２１によって開閉動作が制御され、単位充電動作に対応する単位充電時間に亘って閉状態になり、単相交流を車載充電器４３に供給する。そして、単位充電時間の経過によって開閉器２２が開状態に復帰される。なお、充電側制御部２１は、管理側制御部１１からの動作指示信号に基づいて、開閉器２２の開閉動作を制御する。
【００４９】
次に制御部本体２５のメモリー２４について説明する。図５（ｂ）に示すように、メモリー２４の一部領域は、プログラム記憶領域、及び、識別情報記憶領域として用いられている。そして、プログラム記憶領域には、ＣＰＵ２３によって読み出されて実行されるプログラムが記憶され、識別情報記憶領域には、その普通充電器２０を示す固有の識別情報が記憶されている。
【００５０】
次に、電気自動車４０について説明する。図６に示すように、電気自動車４０は、車両側制御部４１と、普通充電インレット４２Ａと、急速充電インレット４２Ｂと、車載充電器４３と、駆動用バッテリー４４と、補機用バッテリー４５と、インバーター４６と、駆動モーター４７と、トランスミッション４８とを有している。なお、図６の太線は電源の供給線を示し、細線はデータや信号の通信線を示している。
【００５１】
車両側制御部４１は、電気自動車４０における制御の中心となる部分であり、図７（ａ）に示すように、ＣＰＵ６１及びメモリー６２を有する制御部本体６３と、通信用インタフェース６４とを有している。これらの制御部本体６３及び通信用インタフェース６４は、管理側制御部１１等で説明したものと同様に構成されている。
【００５２】
普通充電インレット４２Ａは普通充電器２０の充電プラグＰＬＧが接続される部分であり、急速充電インレット４２Ｂは急速充電器の充電プラグ（図示せず）が接続される部分である。これらの充電インレット４２Ａ，４２Ｂに関し、普通充電インレット４２Ａは普通充電器２０からの単相交流が供給されるのに対し、急速充電インレット４２Ｂは急速充電器（図示せず）からの直流が供給される点で相違している。また、普通充電インレット４２Ａは、車両側制御部４１と通信線を介して接続されていないのに対し、急速充電インレット４２Ｂは、車両側制御部４１と通信線を介して接続されている点でも相違（図示せず）している。
【００５３】
車載充電器４３には、駆動用バッテリー４４及び補機用バッテリー４５が接続されている。そして、車載充電器４３は、供給された単相交流によって、これらの駆動用バッテリー４４及び補機用バッテリー４５を充電する。なお、駆動用バッテリー４４は、駆動モーター４７を動作させるための直流電力を蓄える部分である。補機用バッテリー４５は、車両側制御部４１等の計器類を動作させるための直流電力を蓄える部分である。
【００５４】
各バッテリー４４，４５への充電時において、車載充電器４３は、充電電圧の調整や充電終了といった充電に関する制御も行う。なお、駆動用バッテリー４４と補機用バッテリー４５とは、蓄える直流電力の電圧が異なっている。このため、車載充電器４３には、ＤＣ／ＤＣコンバーター回路が設けられており（図示せず）、適した電圧で充電が行えるように構成されている。
【００５５】
インバーター４６は、駆動用バッテリー４４に蓄えられた直流電力から交流電力を生成する電力変換装置である。このインバーター４６は、車両側制御部４１からの制御信号に応じて、周波数が調整された交流電力が出力される。そして、インバーター４６で生成された交流電力は、駆動モーター４７に供給される。従って、駆動モーター４７の回転数は、車両側制御部４１からの制御信号に応じて制御される。
【００５６】
駆動モーター４７は、タイヤＴＲを回転させる駆動源となる部分である。すなわち、駆動モーター４７の回転軸は、トランスミッション４８に接続されており、駆動モーター４７からの回転力は、適宜減速されて車軸に伝達されている。車軸ＤＦの端部にはタイヤＴＲが取り付けられているため、駆動モーター４７の回転によってタイヤＴＲが回転する。
【００５７】
制御部本体６３が有するメモリー６２の一部領域は、図７（ｂ）に示すように、プログラム記憶領域、総容量記憶領域、残存容量記憶領域、充電電流値記憶領域として用いられている。なお、各領域に記憶されている情報については前述しているので、ここでは説明を省略する。
【００５８】
次に、この充電システムにおける動作について説明する。図８は、この充電システムによる電気自動車４０の充電動作を説明するメインフローチャートである。なお、図８のフローチャート、及び、後述する図９のフローチャートにおいて、「ＮＣ」と記載されているが、これは普通充電器２０を意味している。
【００５９】
この充電システムでは、最初に充電動作を行う普通充電器２０の選択の有無を判定する（Ｓ１）。すなわち、管理側制御部１１は、ユーザーによって入力部１２ａに対する充電器の選択動作がなされたか否かを判断する。図４（ａ）の例では、選択可能な充電器Ａ又は充電器Ｂのボタン画像がタッチされ、その後にＯＫのボタン画像がタッチされた場合に、管理側制御部１１は、タッチされた普通充電器２０が選択されたことを認識する。
【００６０】
普通充電器２０が選択されたならば、管理側制御部１１は、電気自動車に関する必要な情報の取り込みを行う（Ｓ２）。ここでは、ユーザーによって管理側カードリーダ１７に装着された情報記憶カードＣＲＤから、電気自動車４０が備える駆動用バッテリー４４の総容量、残存容量、充電電流値の各情報を取得する。前述したように、これらの情報は、車両のイグニッションオフに伴って情報記憶カードＣＲＤに書き込まれた情報である。なお、この必要情報取り込み処理において、情報記憶カードＣＲＤが管理側カードリーダ１７に装着されていなかった場合、管理側制御部１１は、音声や文字のメッセージ等によって、その旨をユーザーに通知する。
【００６１】
必要な情報を取り込んだならば、管理側制御部１１は、希望充電量、及び、希望充電完了時間の入力を待つ（Ｓ３，Ｓ４）。
【００６２】
図４（ｂ）の例では、５水準のうち選択可能な３水準（６０％以上，８０％以上，１００％）の希望充電量を示すボタン画像が表示されているので、任意の１つのボタン画像がタッチされ、その後にＯＫのボタン画像がタッチされた場合に、管理側制御部１１は、タッチされた希望充電量が選択されたことを認識する。
【００６３】
図４（ｃ）の例でも、５水準のうち選択可能な３水準（４時間以内，８時間以内，１２時間以内）の希望充電完了時間を示すボタン画像が表示されているので、任意の１つのボタン画像がタッチされ、その後にＯＫのボタン画像がタッチされた場合に、管理側制御部１１は、タッチされた希望充電完了時間が選択されたことを認識する。
【００６４】
次に、管理側制御部１１は、充電制御の内容を決定する（Ｓ５）。この決定処理において、管理側制御部１１は、単位充電条件取得部として機能し、車載充電器４３毎の充電電流値（普通充電器２０毎の個別電流値）と希望充電量とから、単位充電量の充電に必要な単位充電時間、及び、予想充電完了時間を取得する。また、管理側制御部１１は、充電制御パターン決定部として機能し、駆動用バッテリー４４に対する１回の単位充電動作で商用系統５０から普通充電器２０へ流れ込む単位電流値の合計を時系列で求め、対応する時間帯の上限電流値と比較し、単位電流値の合計が上限電流値以下の場合に、普通充電器２０からの単相交流の供給が許可されるように、充電制御の内容を決定する。決定された充電制御の内容は、充電制御パターンとしてメモリー１４の制御パターン記憶領域に記憶される。なお、この充電制御の決定処理については、後で詳しく説明する。
【００６５】
充電制御の内容を決定したならば、管理側制御部１１は、決定結果の通知処理を行う（Ｓ６）。この通知処理では、充電完了までの予想時間を表示部１２ｂに表示させる。また、ユーザーによる充電要望を達成することはできない場合には、その旨を表示する。図４（ｄ）の表示例では、６時間３０分後に充電が完了する予定の旨を入力表示器１２（表示部１２ｂ）に表示させている。また、充電中の注意事項についても入力表示器１２に表示させている。
【００６６】
通知処理が行われたならば、充電処理が行われる（Ｓ７）。この充電処理において、管理側制御部１１は充電許可部として機能し、ステップＳ６で決定された充電制御パターンに則って、動作対象となる普通充電器２０（充電側制御部２１）に対し、開閉器２２を動作させるための指示情報などを送信する。普通充電器２０は受信した指示情報に基づき、単位充電時間に亘って開閉器２２を閉状態にすることで、単相交流を車載充電器４３へ供給する。そして、車載充電器４３は、単相交流が供給されている期間に亘って駆動用バッテリー４４の充電を行う。
【００６７】
充電処理において、この充電システムでは、後述する具体例のように、単位充電量の充電動作（単位充電動作）が各駆動用バッテリー４４に対して繰り返し行われるように、普通充電器２０を制御する。すなわち、普通充電器２０の開閉器２２を単位充電量に対応する単位充電時間に亘って閉状態にすることで、車載充電器４３による駆動用バッテリー４４の充電を繰り返し行わせている。このため、管理側制御部１１は、充電制御パターンにおける制御の切換時点（断面）が到来する毎に、動作対象となる普通充電器２０に対して、開閉器２２用の動作指示情報を送信する。
【００６８】
この充電処理は、全ての駆動用バッテリー４４の充電が終了するまで継続して行われる（Ｓ８）。そして、新たな普通充電器２０が選択されるまでは、決定された充電制御パターンで充電を行う（Ｓ９）。一方、新たな普通充電器２０が追加で選択された場合には、ステップＳ２に戻って必要情報の取り込み以降の処理を繰り返し行う。この場合、充電途中の駆動用バッテリー４４については、既に充電が行われた分を差し引いた形での処理が行われる。なお、全ての駆動用バッテリー４４の充電が終了した場合には（Ｓ８）、ステップＳ１に戻って普通充電器２０が選択されるまで待機する。
【００６９】
次に、図９のフローチャートを参照して、管理側制御部１１による充電制御決定処理の詳細について説明する。
【００７０】
この充電制御決定処理では、対象の普通充電器２０のうち、識別番号が最も若いものを選択する（Ｓ１１）。ここで、識別番号がアルファベットで構成されている場合にはアルファベット順の最も若いものが選択され、識別番号が順序数で構成されている場合には最も小さな数字が付されたものが選択される。
【００７１】
次に、選択された普通充電器２０に関して予想総充電量が算出される（Ｓ１２）。本実施形態において、この予想総充電量は、次式（１）によって算出される。
【００７２】
予想総充電量＝バッテリー総容量×希望充電量（％）−電池残存容量  …  （１）
【００７３】
予想総充電量が算出されたならば、充電完了予想時間が算出される（Ｓ１３）。本実施形態において、この充電完了予想時間は、次式（２）によって算出される。なお、式（２）において、充電電圧値は単相交流の電圧値である。このため、この処理では管理側制御部１１のメモリー１４（充電電圧値記憶領域）から単相交流の電圧値が読み出される。
【００７４】
充電完了予想時間＝予想総充電量÷ＡＣ／ＤＣ変換効率÷力率÷（充電電圧値×充電電流値）  …  （２）
【００７５】
次に、単位充電時間（一巡回充電間隔）が算出される（Ｓ１４）。本実施形態において、この単位充電時間は、次式（３）によって算出され、１サイクルの巡回充電における充電時間を示す。なお、式（３）において、基準巡回充電時間は、１サイクルの巡回充電において基準となる充電時間であり、充電システムの管理者によって任意の時間に設定できる。また、基準充電電流値は、１サイクルの巡回充電において基準となる充電電流値（車載充電器４３に流れ込む単相交流の電流値）であり、充電システムの管理者によって任意の値に設定できる。これらの基準巡回充電時間及び基準充電電流値は、１サイクルの巡回充電において駆動用バッテリー４４に充電される充電量を平等にするために定められる。
【００７６】
単位充電時間＝基準巡回充電時間×基準充電電流値÷充電電流値  …  （３）
【００７７】
次に、充電緊急度が算出される（Ｓ１５）。前述したように、充電緊急度は、充電の優先度を定めるための指標であり、本実施形態では次式（４）によって算出される。すなわち、充電緊急度が大きいほど、ユーザーの希望充電時間よりも長い時間に亘って充電をしなければならないことを意味している。
【００７８】
充電緊急度＝予想完了時間÷希望完了時間  …  （４）
【００７９】
充電緊急度を算出したならば、ステップＳ１２からＳ１５までの各算出処理が、全ての普通充電器２０に対して行われたか否かが判断される（Ｓ１６）。ここで、算出処理が行われていない普通充電器２０があった場合には、次に識別情報の若い普通充電器２０が選択され（Ｓ１７）、この普通充電器２０に対する各算出処理（Ｓ１２−Ｓ１５）が行われる。
【００８０】
一方、各算出処理が、全ての普通充電器２０に対して行われた場合には、充電緊急度の高い順に普通充電器２０の優先順位が並べ替えられる（Ｓ１８）。この処理は、ステップＳ１５で算出された充電緊急度に基づいて行われる。
【００８１】
次に、対象断面の設定が行われる（Ｓ１９）。ここで断面とは、充電制御パターンにおける制御の切換時点であり、各普通充電器２０で充電に使用できる電流値の合計上限値を超えているか否かの判断タイミングに相当する。前述したように、この断面としては、普通充電器２０毎の充電開始時点、充電終了時点がある。また、合計上限値を規定する時間帯同士の境界も断面に該当する。従って、充電の開始時点が１番目の断面になる。このため、ステップＳ１８から移行してきた場合には、充電の開始時点（具体例における時刻ｔ０）が対象断面として設定される。
【００８２】
対象断面を設定したならば、対象断面における制約条件を満足するか否かが判断される（Ｓ２０）。ここでは、優先順位（充電緊急度）の高い順に充電電流値が積算される。そして、全ての普通充電器２０についての積算値が、対象断面における上限電流値以下である場合に、制約条件を満足すると判断される。
【００８３】
ここで、制約条件を満足している場合には、その断面における充電制御パターンが決定される（Ｓ２１）。一方、制約条件を満足していない場合には、優先順位の低い普通充電器２０や単位充電回数（巡回充電回数）の多い普通充電器２０を順に待機状態にし（Ｓ２２）、充電電流の積算値を上限電流値以下にすることで、その断面における充電制御パターンが決定される（Ｓ２１）。
【００８４】
この様にして対象断面の充電制御パターンが決定されたならば、全ての対象断面について充電制御パターンが決定されたか否かが判断される（Ｓ２３）。ここで、充電制御パターンが決定されていない断面があった場合には、その断面を対象断面に設定し（Ｓ１９）、前述の処理を繰り返し行う（Ｓ２０〜Ｓ２２）。
【００８５】
この設定処理において、管理側制御部１１は、ある普通充電器２０による１サイクル分の充電（単位充電）の終了時点で、その普通充電器２０を待機状態に設定する。また、単位充電回数が他の普通充電器２０よりも多い普通充電器２０については、その優先順位を一時的に低く設定する。このような設定を行うことで、特定の駆動用バッテリー４４が連続して充電されてしまう不具合を抑制している。なお、この設定処理については、具体例に基づいて説明する。
【００８６】
全ての断面について充電制御パターンが決定されたならば（Ｓ２３）、全ての普通充電器２０について充電要望を満足しているか否かが判断される（Ｓ２４）。ここで、希望する充電量を希望する時間内に充電できる場合、充電要望を満足していると判断される。一方、希望する充電量を充電するに際して希望する時間を超えてしまう場合、充電要望を満足していないと判断される。
【００８７】
そして、充電要望を満足していると判断された場合には、要望達成見込みである旨の報知データが作成される（Ｓ２５）。この報知データはステップＳ７の結果通知で表示される。一方、充電要望を満足していないと判断された場合には、要望不達成である旨の報知データが作成される（Ｓ２６）。この報知データもまたステップＳ７の結果通知で表示される。これらの報知データ作成処理を行ったならば、充電制御決定処理（Ｓ６）を終了し、メインフローチャートに復帰する。
【００８８】
以上の充電制御決定処理について、図１０（ａ）〜図１３（ｄ）の具体例に基づいて詳しく説明する。これらの図において、横軸は時間であり、縦軸は電流値である。また、階段状に描かれている点線は、時間帯毎の合計上限値（普通充電器２０の全体で使用可能な商用系統５０側の電流値）である。この具体例では、時刻ｔ０−ｔ１，時刻ｔ１−ｔ２，時刻ｔ２−ｔ３，時刻ｔ３−ｔ４，時刻ｔ４−からなる５つの時間帯が描かれている。
【００８９】
また、この具体例では、５台の普通充電器２０で充電を行っており、各普通充電器２０による充電量を、符号ＮＣ１〜ＮＣ５を付して示している。ここで、充電量ＮＣ１〜ＮＣ５に関し、優先順位の高い順に符号ＮＣ１，ＮＣ２，ＮＣ３，ＮＣ４，ＮＣ５を付している。また、充電量を示す矩形状図形に関し、面積（充電量）は等しく、縦横比は相違している。これは、各駆動用バッテリー４４を平等に充電する観点から、１サイクルの充電量ＮＣ１〜ＮＣ５を揃えていることによる。
【００９０】
すなわち、各電気自動車４０の車載充電器４３は、それぞれに固有の充電電流値が設定されている。この充電電流値に応じて、矩形状図形における縦軸の大きさ（商用系統５０から普通充電器２０に流れ込む個別電流値）が定まるので、１サイクルの充電量を揃えた場合、充電電流値が相対的に大きいと１サイクルの充電動作（単位充電動作）は相対的に短時間で終了し、充電電流値が相対的に小さいと単位充電動作は相対的に長時間を要する。このため、充電電流値が相対的に大きい車載充電器４３に接続された普通充電器２０では縦長の矩形状図形になり、充電電流値が相対的に小さい車載充電器４３に接続された普通充電器２０では横長の矩形状図形になる。
【００９１】
以下、充電制御パターンの決定手順について説明する。
【００９２】
図１０（ａ）に示すように、まず管理側制御装置は、時刻ｔ０を始点（開始断面）にして優先順位の高い充電量ＮＣ１から順に合計上限値を超えない範囲で充電量を積算する。この例では、時間帯ｔ０−ｔ１の合計上限値が電流値Ｉ１であり、充電量ＮＣ１〜ＮＣ４までを合計した電流値（縦軸の合計）が電流値Ｉ１を超えてしまうため、充電量ＮＣ１〜ＮＣ３までが開始断面における充電対象として決定される。これらの中で１サイクルの充電が最初に終了するものは充電量ＮＣ２である。このため、充電量ＮＣ２の充電完了時刻である時刻ｔ０ａが次の断面に設定される。
【００９３】
次いで図１０（ｂ）に示すように、次断面である時刻ｔ０ａにおける充電制御パターンが決定される。ここでは、待機状態にある充電量ＮＣ２，ＮＣ４，ＮＣ５のうち、単位充電回数が他よりも多い充電量ＮＣ２の優先順位が最下位になり、最も優先順位の高い充電量ＮＣ４の電流値が積算される。そして、充電量ＮＣ１，ＮＣ３，ＮＣ４の積算電流量が電流値Ｉ１よりも低いので、制約条件を満たすと判断される。次いで、充電量ＮＣ２よりも優先順位の高い充電量ＮＣ５も積算されるが、積算電流値が電流値Ｉ１よりも高くなるため、制約条件を満たさないとして待機状態とされる。以上より、充電量ＮＣ１，ＮＣ３，ＮＣ４がこの断面における充電対象として決定される。そして、これらの中で１サイクルの充電が最初に終了するものは充電量ＮＣ１である。このため、充電量ＮＣ１の充電完了時刻である時刻ｔ０ｂが次の断面に設定される。
【００９４】
次いで図１０（ｃ）に示すように、時刻ｔ０ｂにおける充電制御パターンが決定される。ここでは、充電量ＮＣ１，ＮＣ２が待機状態にあるが、両者とも単位充電回数が同じであるので、もともとの優先順位の高い充電量ＮＣ１が積算対象になる。しかし、積算電流値が電流値Ｉ１よりも高いので待機状態が維持される。そして、合計上限値が電流Ｉ２に切り替わる時刻ｔ１が次の断面に設定される。
【００９５】
次いで図１０（ｄ）に示すように、時刻ｔ１における充電制御パターンが決定される。ここでは、時間帯ｔ１−ｔ２の合計上限値が電流値Ｉ２であり、ＮＣ１〜ＮＣ５の積算電流値よりも高いので、全ての充電量ＮＣ〜ＮＣ５が充電対象に設定される。そして、充電量ＮＣ４の充電終了時刻ｔ１ａが次の断面に設定される。
【００９６】
次いで図１１（ａ）に示すように、時刻ｔ１ａにおける充電制御パターンが決定される。この時刻ｔ１ａでは、１サイクルの充電が完了した充電量ＮＣ４が積算されるが、電流値Ｉ２はＮＣ１〜ＮＣ５の積算電流値よりも高いため、充電量ＮＣ４も充電対象に設定される。この場合、充電は継続して行われることになる。そして、充電量ＮＣ３の充電終了時刻ｔ１ｂが次の断面に設定される。
【００９７】
以後は、同様な手順で、断面が到来する毎に充電制御パターンが設定される。要点を説明すると、時間帯ｔ１−ｔ２においては、合計上限値が電流値Ｉ２であり、充電量ＮＣ１〜ＮＣ５の積算電流値よりも高いため、単位充電回数の差に起因して優先順位が入れ代わるが、充電量ＮＣ１〜ＮＣ５の全てが充電対象となる（図１１（ｂ）−図１２（ｂ））。
【００９８】
時刻ｔ１ｇで１サイクルの充電が完了した充電量ＮＣ４は、他のものが充電中であることから引き続き充電対象として選択される。ここで、時間帯ｔ２−ｔ３では合計上限値が電流値Ｉ３に下がるため、充電量ＮＣ４を充電してしまうと、時刻ｔ２以降において制約条件をみたさない。そこで、充電量ＮＣ４については、時刻ｔ１ｇから時刻ｔ２までの時間帯においてのみ充電を行い、時刻ｔ２以降は待機状態にする（図１２（ｃ），（ｄ））。
【００９９】
ところで、充電量ＮＣ４に関し、対応する車載充電器４３の充電電流値が他の車載充電器４３の充電電流値よりも高いことから、他の充電量に比べて単位充電回数が多い。例えば、時刻ｔ０から時刻ｔ２までの時間帯において、充電量ＮＣ４による単位充電回数は３回に設定されている。これに対し、充電量ＮＣ１，２による単位充電回数は２回に設定され、充電量ＮＣ３，５による単位充電回数は１回に設定されている。
【０１００】
そこで、管理側制御部１１は、充電量ＮＣ４については、他の充電量１〜３，５よりも優先順位を下げて、他の充電量の充電を優先させる（図１３（ａ）−（ｄ））。具体的には、断面が到来する毎に、管理側制御部１１が単位充電回数カウンタ（図３（ｂ）を参照）の値を参照し、カウント値の少ない充電量については、カウント値の多い充電量よりも優先するように優先順位を変更する。
【０１０１】
以上説明したように、本実施形態の充電システムでは、集中管理装置１０（充電制御装置）に管理側カードリーダ１７（情報取得部）を設けて駆動用バッテリー４４の総容量、残存容量、充電電流値の各情報を取得しているので、情報入力の手間を省力化でき、ユーザーに対する利便性を向上させることができる。
【０１０２】
また、この充電システムでは、管理側カードリーダ１７（情報読出し部）を用いて、可搬性の情報記憶カードＣＲＤから情報を読み出しているので、情報の転送が容易である。
【０１０３】
また、この充電システムでは、時間帯毎の合計上限値（上限電流値）がメモリー１４に記憶されており、駆動用バッテリー４４の充電に使用する充電電流値（個別電流値）と駆動用バッテリー４４に対する希望充電量とから単位充電量の充電に要する単に充電時間を取得し、駆動用バッテリー４４に対する１回の単位充電動作に必要な単相交流側の単位電流値の合計を時系列で求め、断面毎に合計上限値と比較し、充電の許否（単相交流の供給／非供給）を定めるので、時間帯毎の負荷変動を考慮した効率のよい充電制御を実現できる。
【０１０４】
また、この充電システムでは、普通充電器２０毎の優先順位を管理側制御部１１のメモリー１４に記憶させておき、優先順位の高い順に単位電流値を積算し、合計電流値が合計上限値を超えた際の最後の普通充電器２０を待機状態にするとともに、それより前の普通充電器２０について単位充電動作を行わせているので、優先順位の高い普通充電器２０によって駆動用バッテリー４４が優先的に充電され、ユーザーの要望を反映させた充電制御が実現できる。
【０１０５】
また、この充電システムにおいて管理側制御部１１は、単位充電回数が相対的に少ない駆動用バッテリー４４と相対的に多い駆動用バッテリー４４が混在する場合に、充電回数が相対的に少ない駆動用バッテリー４４が、充電回数が相対的に多い駆動用バッテリー４４よりも優先して充電されるように、優先順位を変更しているので、特定の駆動用バッテリー４４が連続して充電されてしまう不具合を抑制できる。
【０１０６】
また、この充電システムにおいて優先順位は、予想充電完了時間の希望完了時間に対する比率が大きいほど高い順位に定められているので、充電制御パターンをユーザーの希望に近付けることができる。
【０１０７】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【０１０８】
図１４に示す他の実施形態では、情報の送受を無線通信で行っている点が、前述の第１実施形態と相違している。すなわち、管理側カードリーダ１７に代えて管理側送受信機１７´（無線情報受信部）を、車両側カードライタ４９に代えて車両側送受信機４９´（無線情報送信部）をそれぞれ設けている。さらに、充電プラグＰＬＧには、普通充電インレット４２Ａへの装着を検知するプラグ側スイッチＳＷ１を設け、普通充電インレット４２Ａには充電プラグＰＬＧが装着されたことを検知する車両側スイッチＳＷ２を設けている。そして、プラグ側スイッチＳＷ１の検知信号を、信号線及び充電側制御部２１を介して管理側制御部１１に入力し、車両側スイッチＳＷ２の検知信号を、信号線を介して車両側制御部４１に入力している。
【０１０９】
この充電システムでは、充電プラグＰＬＧが普通充電インレット４２Ａへ装着されると、普通充電器２０から集中管理装置１０に対して、プラグ側スイッチＳＷ１に基づく装着検知信号が送信され、管理側制御部１１は、充電プラグＰＬＧが装着されたことを認識する。同様に、車両側スイッチＳＷ２に基づく装着検知信号が車両側制御部４１へ送信されるので、車両側制御部４１もまた、充電プラグＰＬＧが装着されたことを認識する。これに伴い、車両側制御部４１は、車両側送受信機４９´を制御し、駆動用バッテリー４４の総容量、残存容量、充電電流値の各情報を送信可能な状態に移行させる。また、管理側制御部１１は、管理側送受信機１７´を制御し、各情報を受信可能な状態に移行させる。
【０１１０】
このように構成することで、図８のフローチャートにおけるステップＳ１の選択有無判断、ステップＳ９の選択有無判断、及び、ステップＳ２の必要情報取り込み処理を、充電プラグの装着という充電時の必須動作に連動して行うことができる。また、情報の送受信が無線通信で行われているため、情報記憶カードＣＲＤを介さずに必要な情報を電気自動車４０から集中管理装置へと容易に転送することができる。
【０１１１】
なお、前述の実施形態では、メモリー１４のＡＣ／ＤＣ変換効率記憶領域に、車両充電器４３におけるＡＣ／ＤＣ変換効率の標準的な値が記憶されていたが、このＡＣ／ＤＣ変換効率についても、車両側制御部４１から管理側制御部１１へと送信するようにしてもよい。この場合、その車載充電器４３のＡＣ／ＤＣ変換効率を記憶するＡＣ／ＤＣ変換効率記憶領域をメモリー６２に設ける。
【０１１２】
また、前述の各実施形態では、電動車両として電気自動車４０を例示したが、プラグインハイブリッド車や工事用車両などの、車載充電器を備えた電動車両であれば同様に充電できる。
【０１１３】
また、充電電流値については、電動車両からデータとして取得する他、規定時間に亘って単相交流を車載充電器４３へ試験的に印加し、その際の電力量を取得することで、その都度求めてもよい。
【符号の説明】
【０１１４】
１０…集中管理装置，１１…管理側制御部，１２…入力表示器，１２ａ…入力部，１２ｂ…表示部，１３…ＣＰＵ，１４…メモリー，１５…制御部本体，１６…通信用インタフェース，１７…管理側カードリーダ，１７´…管理側送受信機，２０…普通充電器，２１…充電側制御部，２２…開閉器，２３…ＣＰＵ，２４…メモリー，２５…制御部本体，２６…通信用インタフェース，３０…その他負荷，４０…電気自動車，４１…車両側制御部，４２Ａ…普通充電インレット，４２Ｂ…急速充電インレット，４３…車載充電器，４４…駆動用バッテリー，４５…補機用バッテリー，４６…インバーター，４７…駆動モーター，４８…トランスミッション，４９…車両側カードライタ，４９´…車両側送受信機，５０…商用系統，５１…電力センサー，５２…電力センサー，６１…ＣＰＵ，６２…メモリー，６３…制御部本体，６４…通信用インタフェース，ＣＲＤ…情報記憶カード，ＳＷ１…プラグ側スイッチ，ＳＷ２…車両側スイッチ
【図１】
0005524166.tif 000002
【図２】
0005524166.tif 000003
【図３】
0005524166.tif 000004
【図４】
0005524166.tif 000005
【図５】
0005524166.tif 000006
【図６】
0005524166.tif 000007
【図７】
0005524166.tif 000008
【図８】
0005524166.tif 000009
【図９】
0005524166.tif 000010
【図１０】
0005524166.tif 000011
【図１１】
0005524166.tif 000012
【図１２】
0005524166.tif 000013
【図１３】
0005524166.tif 000014
【図１４】
0005524166.tif 000015